(57)【要約】【課題】通し紐や連結金具の不要な磁気装身具に好適であって、吸引結合時の衝撃で欠けたり割れたり錆びたりすることがなく、しかも結合部における磁気抵抗が高く、磁気治療に有効な漏れ磁束が、結合部から充分に発生するようにした磁気装身具の要素部品を提供する。【解決手段】所定の方向へと着磁された希土類磁石からなる柱状小片を、前記柱状小片とほぼ同長又はそれよりも長い筒状小片の中心孔へと挿入し、前記筒状小片の前記中心孔の両端開口を封止材にて封止してなる柱状集成体であって、前記希土類磁石の着磁方向は、複数の前記集成体を同一向きで整列したとき、隣接する前記集成体同士の間に磁気的な吸引力が作用するような着磁方向とされている。【選択図】図１
2015123107.tif 000002
【特許請求の範囲】
【請求項１】
所定の方向へと着磁された希土類磁石からなる柱状小片を、前記柱状小片とほぼ同長又はそれよりも長い筒状小片の中心孔へと挿入し、前記筒状小片の前記中心孔の両端開口を封止材にて封止してなる集成体であって、
前記希土類磁石の着磁方向は、複数の前記集成体を同一向きで整列したとき、隣接する前記集成体同士の間に磁気的な吸引力が作用するような着磁方向とされている、ことを特徴とする磁気装身具の要素部品。
【請求項２】
前記筒状小片が、非磁性又は弱磁性材料からなる、ことを特徴とする請求項１に記載の磁気装身具の要素部品。
【請求項３】
前記非磁性又は弱磁性材料が、ステンレス鋼等の錆びにくい材料又は防錆処理を施された材料である、ことを特徴とする請求項２に記載の磁気装身具の要素部品。
【請求項４】
前記封止材が、非磁性又は弱磁性材料からなる、ことを特徴とする請求項１に記載の磁気装身具の要素部品。
【請求項５】
前記非磁性又は弱磁性材料が、合成樹脂やガラス等のように、装飾性があり、かつ加工性のある材料である、ことを特徴とする請求項４に記載の磁気装身具の要素部品。
【請求項６】
前記希土類磁石が、ネオジム等の磁石である、ことを特徴とする請求項１に記載の磁気装身具の要素部品。
【請求項７】
前記希土類磁石の着磁方向が、柱状小片の長手方向と直交する方向である、ことを特徴とする請求項１に記載の磁気装身具の要素部品。
【請求項８】
前記筒状小片は、断面が円又は多角形の外形を有する筒状小片である、ことを特徴とする請求項７に記載の磁気装身具の要素部品。
【請求項９】
請求項１〜８のいずれかに記載の要素部品を互いの磁気吸引力によりループ状に複数連接してなる、ことを特徴とする磁気装身具。
【請求項１０】
前記磁気装身具が、磁気指輪、磁気ブレスレット、又は磁気ネックレスである、ことを特徴とする請求項９に記載の磁気装身具。
【発明の詳細な説明】
【技術分野】
【０００１】
この発明は、磁気装身具（例えば、磁気ネックレス、磁気ブレスレット等々）の要素部品、及びそれを用いた磁気装身具に係り、特に、通し紐や連結金具の不要な磁気装身具に好適な要素部品に関する。
【背景技術】
【０００２】
通し紐や連結金具の不要なブレスレットに好適な要素部品としては、非磁性物質（磁石に吸い付く力の弱い物質）からなる球状小片内に、これを貫通するようにして、ネオジム磁石からなる円柱状小片を挿入固定すると共に、この円柱状小片の露出する前後端部（Ｎ極、Ｓ極）を球状小片の球面曲率に併せて曲面加工することで、全体として、完全な球状集成体（玉）としたものが知られている。
【０００３】
このような球状集成体（玉）にあっては、同様にしてなる多数の玉を、球体表面に露出するＮ極とＳ極との磁気吸引力を介して連接することで、任意の長さのブレスレットを構成することができる（特許文献１参照）。
【０００４】
なお、磁石を内蔵する要素部品同士を連結金具を介して連接してなる通常の磁気ネックレス、磁気ブレスレット等々においては、長手方向又は直径方向へと着磁されたネオジム磁石からなる円柱状小片を、筒状小片の中心孔へと挿入し、中心孔の両端開口を連結金具にて閉塞してなる柱状集成体は、従来より、種々知られている（例えば、特許文献２、３参照）。
【先行技術文献】
【特許文献】
【０００５】
【特許文献１】特開平１１−１０３９１５号公報
【特許文献２】特開平０５−３０７３１４
【特許文献３】特開２００３−２３５６２０
【発明の概要】
【発明が解決しようとする課題】
【０００６】
しかしながら、特許文献１に記載の要素部品である球状集成体（玉）にあっては、（１）球状集成体（玉）に埋め込まれた円柱状小片（円柱状ネオジム磁石）の両端（Ｎ極、Ｓ極）は、球体表面に剥き出し状態であるから、吸引結合時の衝撃で欠けたり割れたりするほか、汗との接触により容易に錆びやすいこと、（２）球状集成体（玉）同士の結合は、基本的には、円柱状ネオジム磁石同士の直接的な磁気結合を介して行われるものであるから、結合部における磁気抵抗が低く（透磁率が高く）、磁気治療に有効な漏れ磁束が、結合部から発生しにくいこと、（３）隣接する球状集成体（玉）同士の接触は１点で行うものであるから、余程強力な磁力を有する磁石を使用しない限り、球状集成体（玉）同士の結合が弱く、強い力で引っ張られたときに、容易に分離しやすいこと、と言った問題点があった。
【０００７】
この発明は、上述したこの種の要素部品における従来の問題点に着目してなされたものであり、その目的とするところは、通し紐や連結金具の不要な磁気装身具に好適であって、吸引結合時の衝撃で欠けたり割れたり、或いは汗との接触により錆が生じたりすることがないようにした磁気装身具の要素部品を提供することにある。
【０００８】
この発明の他の目的とするところは、通し紐や連結金具の不要な磁気装身具に好適であって、結合部における磁気抵抗が高く（透磁率が低く）、磁気治療に有効な漏れ磁束が、結合部から充分に発生するようにした磁気装身具の要素部品を提供することにある。
【０００９】
この発明の他の目的とするところは、さほど強力な磁力を有する磁石を使用せずとも、要素部品同士の結合力が強く、強い力で引っ張られたときに、容易に分離することがないようにした磁気装身具の要素部品を提供することにある。
【００１０】
この発明のさらに他の目的並びに作用効果については、明細書の以下の記述を参照することにより、当業者であれば、容易に理解されるであろう。
【課題を解決するための手段】
【００１１】
上述の技術的課題は、以下の構成を有する磁気装身具の要素部品により解決されるものと考えられる。
【００１２】
すなわち、本発明に係る要素部品は、所定方向へと着磁された希土類磁石からなる柱状小片を、前記柱状小片とほぼ同長又はそれより長い筒状小片の中心孔へと挿入し、前記筒状小片の前記中心孔の両端開口を封止材にて封止してなる柱状集成体であって、前記希土類磁石の着磁方向は、複数の前記柱状集成体を同一向きで整列したとき、隣接する前記集成体同士の間に磁気的な吸引力が作用するような着磁方向とされている、ことを特徴とする。
【００１３】
このような構成によれば、複数の前記柱状集成体を同一向きで整列したとき、隣接する前記集成体同士の間に磁気的な吸引力が作用して、柱状集成体同士が自動的に連接されることから、通し紐や連結金具の不要な磁気装身具を構成できることに加えて、希土類磁石からなる柱状小片は筒状小片及び封止材によりその周囲を保護されることとなるため、吸引結合時の衝撃で欠けたり割れたりすることがなく、しかも汗と接触しないから錆を生ずる虞もないと言う利点を有する。
【００１４】
本発明に係る要素部品の好ましい実施の形態にあっては、前記筒状小片が非磁性又は弱磁性材料からなるものであってもよい。
【００１５】
このような構成によれば、複数の前記集成体を並列向きで整列したとき、隣接する前記柱状集成体同士の間に磁気的な吸引力が作用して、柱状集成体同士が自動的に連接されることから、通し紐や連結金具の不要な磁気装身具に好適であることに加えて、隣接するＮ極とＳ極との間には非磁性又は弱磁性材料からなる筒状小片が介在されることから、結合部における磁気抵抗が高く（透磁率が低く）、磁気治療に有効な漏れ磁束が、結合部から充分に発生する利点がある。このとき、前記非磁性又は弱磁性材料が、ステンレス鋼等の錆に強い材質または防錆処理を施された材質であると、上述の作用効果に加えて、錆びにくく美観に優れる利点がある。
【００１６】
本発明に係る要素部品の好ましい実施の形態にあっては、前記封止材が非磁性又は弱磁性材料からなるものであってもよい。
【００１７】
このような構成によれば、複数の前記柱状集成体を直列向きで整列したとき、隣接する前記柱状集成体同士の間に磁気的な吸引力が作用することから、通し紐や連結金具の不要な磁気装身具に好適であることに加えて、隣接するＮ極とＳ極との間には非磁性又は弱磁性材料からなる封止材が介在されることから、結合部における磁気抵抗が高く（透磁率が低く）、磁気治療に有効な漏れ磁束が、結合部から充分に発生する利点がある。このとき、前記非磁性又は弱磁性材料が、合成樹脂やガラス等のように、装飾性があり、かつ加工性のある材料であると、美観に優れる利点がある。
【００１８】
本発明に係る要素部品の好ましい実施の形態にあっては、前記希土類磁石がネオジム等の磁石であってもよい。
【００１９】
このような構成によれば、多数の前記柱状集成体を同一向きで整列したとき、隣接する前記柱状集成体同士の間に磁気的な吸引力が作用することから、通し紐や連結金具の不要な磁気装身具に好適であることに加えて、筒状小片内に収容することから、もっとも磁気が強力であるが錆び易かくかつ脆いと言うネオジム等の磁石の欠点を補える利点がある。
【００２０】
本発明に係る要素部品の好ましい実施の形態にあっては、前記希土類磁石の着磁方向が、柱状小片の長手方向と直交する方向であってもよい。
【００２１】
このような構成によれば、複数の前記集成体を並列向きで整列したとき、隣接する前記柱状集成体同士の間に磁気的な吸引力が作用して、柱状集成体同士が自動的に連接されることから、通し紐や連結金具の不要な磁気装身具に好適であることに加えて、隣接する前記柱状集成体同士は、その長手方向の全長に亘って線接触するから、隣接する柱状集成体同士は、強力に結合し、容易には離脱しない利点がある。このとき、前記筒状小片が、断面が円（楕円又は長円を含む）、磁極近傍の面が断面弧状の曲面、又は多角形の外面を有する筒状小片であると、隣接する柱状集成体同士は、強固に結合しつつスムーズに広い角度範囲で回転するから、指輪のような曲率が小さな小径ループの磁気装身具でも容易に対応できる利点がある。
【００２２】
別の一面から見た本発明は、上記発明又はその実施形態のいずれかに記載の要素部品を互いの磁気吸引力によりループ状に複数連接してなることを特徴とする磁気装身具として把握することもできる。
【００２３】
このような構成の磁気装身具によれば、通し紐や連結金具の不要な磁気装身具に好適であって、吸引結合時の衝撃で欠けたり割れたり錆びたりすることがなく、結合部における磁気抵抗が高く、磁気治療に有効な漏れ磁束が、結合部から充分に発生し、さほど強力な磁力を有する磁石を使用せずとも、要素部品同士の結合が強く、強い力で引っ張られたときに、容易に分離することがないと言った様々な利点を有する。このとき、前記磁気装身具が、磁気指輪、磁気ブレスレット、又は磁気ネックレスであってもよい。
【発明の効果】
【００２４】
本発明の要素部品又はそれを使用した磁気装身具によれば、複数の柱状集成体を同一向きで整列したとき、隣接する前記集成体同士の間に磁気的な吸引力が作用して、柱状集成体同士が自動的に連接されることから、通し紐や連結金具の不要な磁気装身具を構成できることに加えて、希土類磁石からなる柱状小片は筒状小片及び封止材によりその周囲を保護されることとなるため、吸引結合時の衝撃で欠けたり割れたり錆びたりすることがないと言う利点を有するほか、隣接するＮ極とＳ極との間には非磁性又は弱磁性材料からなる筒状小片又は封止材が介在されることから、結合部における磁気抵抗が高く、磁気治療に有効な漏れ磁束が、結合部から充分に発生する利点もある。
【図面の簡単な説明】
【００２５】
【図１】図１は本発明に係る要素部品の分解斜視図である。
【図２】図２は本発明に係る要素部品の内部構造を示す説明図である。
【図３】図３は、着磁方向を示す説明図である。
【図４】図４は要素部品を用いて作成された腕輪（ブレスレット）の斜視図である。
【図５】図５は腕輪（ブレスレット）の装着動作の説明図である。
【図６】図６は首輪（ネックレス）の装着動作の説明図である。
【図７】図７は指輪の装着動作の説明図である。
【図８】図８は断面形状の他の例を示す説明図である。
【発明を実施するための形態】
【００２６】
以下に、本発明に係る要素部品及びそれを用いた磁気装身具の好適な実施の一形態を添付図面を参照しながら詳細に説明する。
【００２７】
本発明に係る要素部品の分解斜視図が図１に、内部構造の説明図が図２にそれぞれ示されている。それらの図に示されるように、本発明に係る要素部品１は、所定の方向へと着磁された希土類磁石からなる柱状小片２を、この柱状小片２とほぼ同長又はそれよりも僅かに長い筒状小片３の中心孔３ａへと挿入し、筒状小片３の中心孔３ａの両端開口を封止材４ａ，４ｂにて封止してなる柱状集成体として構成されている。
【００２８】
柱状小片２としては、断面が円形（楕円形、長円形も含む）の柱状小片２（図８（ａ）参照）、断面が任意角数の多角形の柱状小片２Ａ，２Ｂ（図８（ｂ）（ｃ）参照）、さらには断面が異形四角形の柱状小片２Ｃ（図８（ｄ）参照）を適宜に採用することができる。中でも、図８（ａ）及び図８（ｄ）のように、磁極（Ｎ，Ｓ）側の外周面が断面弧状の曲面であると、複数個を連接した際に、隣接する集成体同士が線接触を維持したままで、所定角度範囲でスムーズに転がることから、任意の曲率のループに容易に対応できる利点がある。図１の例では、特に、製造容易性や磁束密度均一化等を意図して、断面が円形の柱状小片２が採用されている。
【００２９】
柱状小片２の材料となる希土類磁石としては、ネオジム磁石、サマリウムコバルト磁石、プラセオ磁石、サマリウム鉄窒素磁石等々の公知の希土類磁石を適宜に採用することができる。図示例では、錆びやすく脆い欠点はあるものの、もっとも、磁力が強いことを考慮してネオジム磁石が採用されている。
【００３０】
希土類磁石からなる柱状小片２の着磁方向としては、図３（ａ）に示されるように、並列接続を意図して、長手方向と直交する方向へとＮ極とＳ極とが分極するようにした着磁方向、図３（ｂ）に示されるように、直列接続を意図して、長手方向へとＮ極とＳ極とが分極するようにした着磁方向のほか、様々な着磁方法が考えれる。図１の例では、要素部品１同士を並列接続することを意図して、図３（ａ）に示される着磁方向、すなわち断面真円形の円柱状小片２を、その中心軸を含む平面を境として、二つの断面半円形の領域に分け、一方がＮ極で他方がＳ極とになるような着磁方向が採用されている。
【００３１】
筒状小片３としては、図８に示されるように、断面が真円状、楕円状、長円状、任意角数の多角形状、異形多角形のもの（３，３Ａ，３Ｂ，３Ｃ）を適宜に採用することができる。図１の例では、外形断面が真円状の円筒体（長さ８．０ｍｍ、外径４．０ｍｍ）が採用されている。先に述べたように、外形断面が真円状、又は非真円の円状（長円状、楕円状を含む）、異形多角形状等々であると、互いの磁気吸着状態を維持したまま、適宜の角度範囲でスムーズに転がりあって変位可能でることから、比較的に大半径ループの首輪（ネックレス）のみならず、腕輪（ブレスレット）、指輪と言った比較的に小半径ループのループ状装身具としても、ループの曲率変化に対応して、スムーズな装着感を提供することができる。また、筒状小片３の中心孔３ａの断面形状は、筒状小片３内に柱状小片２が安定的に静止するためには、柱状小片２の断面形状に整合するものであることが好ましい。
【００３２】
筒状小片３の材質としては、金属のみならず、合成樹脂も含む、様々な材質を採用することができるが、図３（ａ）に示される並列接続において、隣接する要素片同士が磁石の吸引力で結合する際に、その結合部において、Ｎ極とＳ極との間に介在して、磁気治療に有効な漏洩磁束をできるだけ多く生じさせるためには、磁気抵抗の高い非磁性の材料（アルミ合金やステンレス鋼等の非磁性金属や合成樹脂）の採用が好ましい。また、長期間の使用によっても、汗との接触により錆びにくいことも重要である。このような観点から、図１に示される筒状小片３の材質としては、ステンレス鋼が採用されている。
【００３３】
筒状小片３の肉厚は、隣接する筒状小片の結合部において、２倍の厚みとなって、磁気抵抗を生成するものであるから、隣接する磁石の磁力との関係にて決められるべきものである。
【００３４】
封止剤４ａ，４ｂとしては、筒状小片３の両端開口を密に封止することのできるものであれば、その具体的な構造は任意であるが、図３（ｂ）に示される直列接続において、隣接する要素片同士が磁石の吸引力で結合する際に、その結合部において、Ｎ極とＳ極との間に介在して、磁気治療に有効な漏洩磁束をできるだけ多く生じさせるためには、磁気抵抗の高い非磁性の材質の採用が好ましい。このとき、封止材４ａ，４ｂが、合成樹脂やガラス等のように、装飾性があり、かつ加工性のある材料であると、美観に優れる利点がある。
【００３５】
次に、以上の構成よりなる要素部品１の作用について、図４〜図７を参照しながら説明を行う。
【００３６】
要素部品１を使用して作成された腕輪（ブレスレット）の一例が図４及び図５に示されている。それらの図から明らかなように、この腕輪５は、本発明に係る要素部品１を多数並列状態にして連接してなるものである。すなわち、先に図３（ａ）を参照して説明したように、複数の要素部品１，１・・・を並列状態にて接近させると、隣接する一方の要素部品１に内蔵する柱状小片２のＮ極（又はＳ極）が他方の要素部品１に内蔵する柱状小片２のＳ極（Ｎ極）と吸引し合うことにより、それら複数の要素部品１，１，１・・・は、並列姿勢を維持しつつ、磁石の吸引力を介して一連に結合され、それら一連の要素部品の両端に位置する２つの要素部品が同様にして互いに吸着することで、ループ状の磁気装身具である磁気腕輪（磁気ブレスレット）５が完成する。このとき、ネオジム磁石からなる柱状小片２は筒状小片３及び封止材４ａ，４ｂによりその周囲を保護されることとなるため、吸引結合時の衝撃で欠けたり割れたりすることがないと言う利点を有する。
【００３７】
腕輪の装着動作の説明図が図５に示されている。本発明の磁気腕輪（磁気ブレスレット）５を人の腕に装着するに際しては、先ず、同図（ａ）に示されるように、複数の要素部品１を並列姿勢で連接してなる開ループ状態の紐状要素部品列を、人の腕の上面に巻き掛けする。
【００３８】
すると、隣接する各一対の要素部品同士は、互いの円筒状周面同士をその長手方向へ沿う１線で接触しつつ磁気結合するものであるから、個々の要素部品同士が転がって、上述の紐状要素部品列は自重により腕の両側に逆Ｕ字状に垂れ下がるようにして湾曲する。このとき、個々の要素部品１は、主として、その長手方向と直交する面内においてのみ、所定の角度範囲で転がり変位するものであるから、上述の紐状要素部品列が湾曲に際して大きく捻れることはない。
【００３９】
因みに、特許文献１に記載の球状要素部品（玉）の場合には、個々の要素部品は互いに点接触するものであるから、任意の方向へと自由に転がり変位可能であり、仮に、ブレスレットに適用した場合には、腕に巻き掛けすると、任意の方向へと湾曲してねじれが生じ、腕への装着操作が煩雑である。
【００４０】
しかも、開ループ状態にある紐状要素部品列の両端に位置する２つの要素部品には、要素部品の連結個数に対応する強い磁気強度のＮ極とＳ極とが現れる。そのため、恰も時計バンドを腕に装着する要領で、紐状要素部品列の両端を手繰り寄せれば、図５（ｂ）に矢印で示されるように、それら２つの端部に位置する要素部品は独りでに強力な磁気の力で吸引されて吸着され、閉ループ状の紐状要素部品列である磁気腕輪（磁気ブレスレット）５が完成するから、難なく、装着を完了することができる。
【００４１】
首輪の装着状態の説明図が図６に、指輪の装着状態が図７に、それぞれ示されている。それらの図から明らかなように、首輪６及び指輪７の構造は、ループの大きさが腕輪（ブレスレット）５の場合と異なることを除き、腕輪（ブレスレット）５の場合と同様であるから、重複説明は省略する。
【００４２】
この実施形態に係る要素部品１によれば、隣接する要素部品間の結合が、円筒体の外周面同士の線接触によるものであるから、任意の曲率のループ軌跡に容易に対応することとなり、要素部品の個数を増減するだけで、ループ径の異なり、かつ長期の使用においても錆の生じにくい磁気装身具（腕輪５、首輪６、指輪７）を容易に実現することができる。
【００４３】
しかも、相隣接する要素部品同士の結合部には、磁気抵抗の大きな非磁性物質であるステンレス鋼が介在されているため、隣接する一方の要素部品内蔵の磁極（例えば、ネオジム磁石のＮ極）と他方の要素部品内蔵の磁極（例えば、ネオジム磁石のＳ極）との間の磁路の磁気抵抗は比較的に大きく、そのため、一方の磁極から他方の磁極へ向かう磁束は大きく外側に湾曲（漏洩）して人体の一部を経由することとなり、そのような磁気漏洩が要素部品同士のすべての結合部で生ずることから、良好な磁気治療効果が期待される。
【００４４】
なお、本発明においては、図３（ｂ）に示されるように、要素部品内の柱状小片の着磁方向を長手方向としてもよく、その場合には、これを直列接続することによって、ネックレスなどの大ループな磁気装身具を比較的少数の要素部品にて実現することができる。この場合にも、隣接する磁極間には、非磁性物質である合成樹脂が介在されるため、上述と同様な磁気漏洩による磁気治療効果を期待することできる。
【産業上の利用可能性】
【００４５】
本発明の要素部品又はそれを用いた磁気装身具によれば、複数の柱状集成体を同一向きで整列したとき、隣接する前記集成体同士の間に磁気的な吸引力が作用して、柱状集成体同士が自動的に連接されることから、通し紐や連結金具の不要な磁気装身具を構成できることに加えて、希土類磁石からなる柱状小片は筒状小片及び封止材によりその周囲を保護されることとなるため、吸引結合時の衝撃で欠けたり割れたり、汗との接触で錆びたりすることがないと言う利点を有するほか、隣接するＮ極とＳ極との間には非磁性材料からなる筒状小片又は封止材が介在されることから、結合部における磁気抵抗が高く、磁気治療に有効な漏れ磁束が、結合部から充分に発生する利点もある。
【符号の説明】
【００４６】
１    要素部品
２    柱状小片
３    筒状小片
４ａ  封止材
４ｂ  封止材
５    腕輪（ブレスレット）
６    首輪（ネックレス）
７    指輪
【図１】
2015123107.tif 000003
【図２】
2015123107.tif 000004
【図３】
2015123107.tif 000005
【図４】
2015123107.tif 000006
【図５】
2015123107.tif 000007
【図６】
2015123107.tif 000008
【図７】
2015123107.tif 000009
【図８】
2015123107.tif 000010